(57)【要約】【課題】戸当たり本体の係止具を、強度が大きく、デザイン的に優れた、合成樹脂製の一体成形品で、簡易な構造とすることができるようにした戸当たりを提供すること。【解決手段】戸当たり本体２を、扉Ｄに取り付けられる取付部２５と、この取付部２５に揺動操作可能に配設されることによってストッパ片１０に形成した貫通孔１１ｂに選択的に係止される係止爪２１ａを備えた係止具２０と、マグネット片Ｍを装着したマグネット装着体２３と、カバー部材２４とで構成し、係止具２０の本体部２１を、ポリアセタール樹脂、ポリカーボネート樹脂、アクリル樹脂若しくはポリアミド樹脂又はこれらの樹脂のいずれかと無機繊維との複合材料で１次成形するとともに、係止具２０のカバー部材２４から露出する操作面２２を着色可能な樹脂で２次成形する。【選択図】図１
2012097408.tif 000002
【特許請求の範囲】
【請求項１】
扉に取り付けられる戸当たり本体と、該戸当たり本体に設けたマグネット片の励磁吸着作用によって、床面より突出するように、床面に取り付けられる台座に枢軸を介して揺動可能に支持されたストッパ片を備えた戸当たり受け具とからなる戸当たりにおいて、前記戸当たり本体を、扉に取り付けられる取付部と、該取付部に揺動操作可能に配設されることによってストッパ片に形成した係止部に選択的に係止される係止爪を備えた係止具と、マグネット片を装着したマグネット装着体と、カバー部材とで構成し、前記係止具を、ポリアセタール樹脂、ポリカーボネート樹脂、アクリル樹脂若しくはポリアミド樹脂又はこれらの樹脂のいずれかと無機繊維との複合材料で１次成形するとともに、該係止具のカバー部材から露出する操作面を着色可能な樹脂で２次成形してなることを特徴とする戸当たり。
【請求項２】
前記戸当たり本体の取付部に形成した上方を開口した軸受部に、係止具に形成した軸を嵌挿し、マグネット装着体に形成した挿入片を、前記軸受部の開口を閉じるようにして、取付部に形成した挿入孔に挿入、抜け止め状に係止してなることを特徴とする請求項１記載の戸当たり。
【請求項３】
前記マグネット装着体に形成した挿入片が、取付部に形成した挿入孔に、抜け止め状に遊嵌されてなることを特徴とする請求項２記載の戸当たり。
【請求項４】
前記戸当たり本体を、扉に、戸当たり本体の取付部に形成した上下方向の長孔に挿通したねじによって取り付けるに当たり、扉の下縁に沿うように断面Ｌ字形の位置決め金具を配設し、該位置決め金具の鉛直片に形成されたねじ穴を通して、前記ねじをねじ込むようにしたことを特徴とする請求項１、２又は３記載の戸当たり。
【請求項５】
前記戸当たり受け具のストッパ片に、前記枢軸が挿通される軸孔を形成した、枢軸と直交する方向の対向する側縁を折り曲げて形成した補強側部を備えてなることを特徴とする請求項１、２、３又は４記載の戸当たり。
【請求項６】
前記ストッパ片の本体部の裏面に、前記枢軸が嵌入する溝部を形成したことを特徴とする請求項５記載の戸当たり。
【請求項７】
前記戸当たり受け具の台座に、ストッパ片の補強側部が嵌入するスリット状の溝を形成したことを特徴とする請求項５又は６記載の戸当たり。
【発明の詳細な説明】
【技術分野】
【０００１】
本発明は、戸当たりに関し、特に、扉に取り付けられる戸当たり本体と、この戸当たり本体に設けたマグネット片の励磁吸着作用によって、床面より突出するように、床面に取り付けられる台座に枢軸を介して揺動可能に支持されたストッパ片を備えた戸当たり受け具とからなる戸当たりに関するものである。
【背景技術】
【０００２】
従来、図１２（ａ）に示すように、扉Ｄに取り付けられる戸当たり本体６０と、この戸当たり本体６０に設けたマグネット片Ｍの励磁吸着作用によって、床面Ｆより突出するように、床面Ｆに取り付けられる台座５２に枢軸５３を介して揺動可能に支持されたストッパ片５１を備えた戸当たり受け具５０とからなる戸当たりＳ’が実用化されている（例えば、特許文献１参照）。
この戸当たりＳ’は、図１２（ｂ）に示すように、扉Ｄが所定の位置にきたときに、マグネット片Ｍの励磁吸着作用によりストッパ片５１を床面Ｆより揺動、突出させて、戸当たり本体６０側に当接させ、それ以上の開扉を阻止するものである。
そして、戸当たり本体６０に、ストッパ片５１に形成した係止部としての貫通孔５１ａに係脱可能に係止する係止爪６２を備えた係止具６１を揺動自在に配設するようにしている。
そして、この係止具６１は、係止爪６２から延設した操作杆６２ａの先端に操作片６３を一体的に配設して、カバー部材６４の外側から、係止具６１の係止爪６２を揺動操作するようにし、これによって、係止爪６２を、ストッパ片５１に形成した係止部となる貫通孔５１ａに選択的に係止するようにして、扉Ｄの開放状態を保持することができるようにしている。
【先行技術文献】
【特許文献】
【０００３】
【特許文献１】特開２００２−４６９１号公報
【発明の概要】
【発明が解決しようとする課題】
【０００４】
ところで、上記従来の戸当たりＳ’において、戸当たり本体６０の係止具６１は、数個の合成樹脂や金属製の部品を一体的に組み付けて構成するようにしているため、構造が複雑で、製造にコストがかかるという問題があった。
【０００５】
一方、戸当たり受け具５０は、床面Ｆからの高さを可及的に低くすることが望まれており、受け具５０の厚みを３ｍｍ程度とするために、ストッパ片５１に板厚が１．５〜２．５ｍｍ程度の金属製の板材を使用しているため、戸当たり本体６０に当接したストッパ片５１に、扉Ｄを介して強い力が加わった場合、図１２（ｃ）に示すように、ストッパ片５１が変形するという問題があった。
【０００６】
本発明は、上記従来の戸当たりの有する問題点に鑑み、戸当たり本体の係止具を、強度が大きく、デザイン的に優れた、合成樹脂製の一体成形品で、簡易な構造とすることができるようにした戸当たりを提供することを第１の目的とする。
【０００７】
また、本発明は、戸当たり受け具のストッパ片に、板厚が薄い金属製の板材を使用しても、ストッパ片が変形することがない戸当たりを提供することを第２の目的とする。
【課題を解決するための手段】
【０００８】
上記第１の目的を達成するため、本発明の戸当たりは、扉に取り付けられる戸当たり本体と、該戸当たり本体に設けたマグネット片の励磁吸着作用によって、床面より突出するように、床面に取り付けられる台座に枢軸を介して揺動可能に支持されたストッパ片を備えた戸当たり受け具とからなる戸当たりにおいて、前記戸当たり本体を、扉に取り付けられる取付部と、該取付部に揺動操作可能に配設されることによってストッパ片に形成した係止部に選択的に係止される係止爪を備えた係止具と、マグネット片を装着したマグネット装着体と、カバー部材とで構成し、前記係止具を、ポリアセタール樹脂、ポリカーボネート樹脂、アクリル樹脂若しくはポリアミド樹脂又はこれらの樹脂のいずれかと無機繊維との複合材料で１次成形するとともに、該係止具のカバー部材から露出する操作面を着色可能な樹脂で２次成形してなることを特徴とする。
【０００９】
この場合において、前記戸当たり本体の取付部に形成した上方を開口した軸受部に、係止具に形成した軸を嵌挿し、マグネット装着体に形成した挿入片を、前記軸受部の開口を閉じるようにして、取付部に形成した挿入孔に挿入、抜け止め状に係止することができる。
【００１０】
また、前記マグネット装着体に形成した挿入片が、取付部に形成した挿入孔に、抜け止め状に遊嵌されるようにすることができる。
【００１１】
また、前記戸当たり本体を、扉に、戸当たり本体の取付部に形成した上下方向の長孔に挿通したねじによって取り付けるに当たり、扉の下縁に沿うように断面Ｌ字形の位置決め金具を配設し、該位置決め金具の鉛直片に形成されたねじ穴を通して、前記ねじをねじ込むようにすることができる。
【００１２】
また、上記第２の目的を達成するため、本発明の戸当たりは、前記戸当たり受け具のストッパ片に、前記枢軸が挿通される軸孔を形成した、枢軸と直交する方向の対向する側縁を折り曲げて形成した補強側部を備えてなることを特徴とする。
【００１３】
また、前記ストッパ片の本体部の裏面に、前記枢軸が嵌入する溝部を形成することができる。
【００１４】
また、前記戸当たり受け具の台座に、ストッパ片の補強側部が嵌入するスリット状の溝を形成することができる。
【発明の効果】
【００１５】
本発明の戸当たりによれば、係止具を、ポリアセタール樹脂、ポリカーボネート樹脂、アクリル樹脂若しくはポリアミド樹脂又はこれらの樹脂のいずれかと無機繊維との複合材料で１次成形するとともに、該係止具のカバー部材から露出する操作面を着色可能な樹脂で２次成形してなることにより、強度が大きく、デザイン的に優れた、合成樹脂製の一体成形品で、簡易な構造とすることができ、製造コストな低廉な戸当たりを得ることができる。
【００１６】
また、前記戸当たり本体の取付部に形成した上方を開口した軸受部に、係止具に形成した軸を嵌挿し、マグネット装着体に形成した挿入片を、前記軸受部の開口を閉じるようにして、取付部に形成した挿入孔に挿入、抜け止め状に係止することにより、構造が簡易で、組立作業を簡単にでき、製造コストを低廉にすることができる。
【００１７】
また、前記マグネット装着体に形成した挿入片が、取付部に形成した挿入孔に、抜け止め状に遊嵌されるようにすることにより、戸当たり受け具のストッパ片を励磁吸着する際の動作性を向上することができる。
【００１８】
また、前記戸当たり本体を、扉に、戸当たり本体の取付部に形成した上下方向の長孔に挿通したねじによって取り付けるに当たり、扉の下縁に沿うように断面Ｌ字形の位置決め金具を配設し、該位置決め金具の鉛直片に形成されたねじ穴を通して、前記ねじをねじ込むようにすることにより、戸当たり本体を扉の所定位置に正確に取り付けることができる。
【００１９】
また、前記戸当たり受け具のストッパ片に、前記枢軸が挿通される軸孔を形成した、枢軸と直交する方向の対向する側縁を折り曲げて形成した補強側部を備えることにより、板厚が薄い金属製の板材を使用しても、ストッパ片が変形することがない、強度が大きい戸当たりを得ることができる。
【００２０】
また、前記ストッパ片の本体部の裏面に、前記枢軸が嵌入する溝部を形成することにより、補強側部の高さ方向の寸法を小さくすることができ、戸当たり受け具の厚みを薄くすることができる。
【００２１】
また、前記戸当たり受け具の台座に、ストッパ片の補強側部が嵌入するスリット状の溝を形成することにより、戸当たり受け具の厚みを薄くすることができる。
【図面の簡単な説明】
【００２２】
【図１】本発明の戸当たりに使用する戸当たり本体を示し、（ａ）は戸当たり本体の係止具の斜視図、（ｂ）は（ａ）のＸ−Ｘ断面図、（ｃ）は係止爪を引き上げた状態の戸当たり本体の断面図、（ｄ）は係止爪を下ろした状態の戸当たり本体の断面図である。
【図２】同戸当たり本体のマグネット装着体を示し、（ａ）は正面図、（ｂ）は平面図、（ｃ）は側面図、（ｄ）は底面図である。
【図３】同戸当たり本体の取付部を示し、（ａ）は正面図、（ｂ）は平面図、（ｃ）は底面図、（ｄ）は側面図、（ｅ）は背面図、（ｆ）は（ａ）のＹ−Ｙ断面図である。
【図４】戸当たり本体の取り付け状態を示し、（ａ）は扉の低位置に取り付けた状態の側面図、（ｂ）は扉の低位置に取り付けた状態の側面図である。
【図５】位置決め金具を示し、（ａ）は正面図、（ｂ）は平面図、（ｃ）は側面図である。
【図６】本発明の戸当たりに使用する戸当たり受け具のストッパ片を示し、（ａ）は平面図、（ｂ）は側面図、（ｃ）は正面図、（ｄ）は（ａ）のＺ−Ｚ断面図、（ｅ）は（ｂ）のＹ部拡大の斜視図である。
【図７】同戸当たり受け具の台座を示し、（ａ）は平面図、（ｂ）は側面図、（ｃ）は正面図である。
【図８】同戸当たり受け具のストッパ片の台座への取付方法を示す説明図である。
【図９】同戸当たり受け具の斜視図である。
【図１０】戸当たりの外観斜視図である。
【図１１】戸当たりの動作を示し、（ａ）はストッパ片が突出する前の状態を示す断面図、（ｂ）はストッパ片が突出した状態を示す断面図である。
【図１２】従来の戸当たりを示し、（ａ）は戸当たり受け具のストッパ片が突出する前の状態を示す断面図、（ｂ）はストッパ片が突出した状態を示す断面図、（ｃ）はストッパ片が突出した状態で開扉側に向かって強い力が加わりストッパ片が変形した状態を示す断面図である。
【発明を実施するための形態】
【００２３】
以下、本発明の戸当たりの実施の形態を、図面に基づいて説明する。
【００２４】
図１〜図１１に、本発明の戸当たりの一実施例を示す。
この戸当たりＳは、図１０に示すように、扉Ｄに取り付けられる戸当たり本体２と、戸当たり本体２に設けたマグネット片Ｍの励磁吸着作用によって、床面より突出するように、床面Ｆに取り付けられる台座１３に枢軸１４を介して揺動可能に支持されたストッパ片１０を備えた戸当たり受け具１とからなる。
【００２５】
戸当たり本体２は、図１〜図３に示すように、扉Ｄに取り付けられ、ストッパ片１０の受部２５ｆを形成した取付部２５と、この取付部２５に揺動操作可能に配設されることによってストッパ片１０に形成した係止部としての貫通孔１１ｂに選択的に係止される係止爪２１ａを備えた係止具２０と、マグネット片装着部２３ａにマグネット片Ｍを装着したマグネット装着体２３と、カバー部材２４とで構成し、係止具２０の本体部２１を、ポリアセタール樹脂、ポリカーボネート樹脂、アクリル樹脂若しくはポリアミド樹脂又はこれらの樹脂のいずれかとガラス繊維等の無機繊維との複合材料で１次成形するとともに、係止具２０のカバー部材２４から露出する操作面２２を着色可能な樹脂で２次成形するようにしている。
【００２６】
係止具２０の１次成形及び２次成形は、具体的には、２色成形法と呼ばれる射出成形法によって行うことができ、１次成形によって、１次側となる係止具２０の本体部２１を成形してから、同一金型内で２次側となる操作面２２を１次側の本体部２１と一体となるように成形する。
【００２７】
係止具２０の本体部２１は、機械的強度が大きく、耐摩耗性、摺動性、寸法安定性が良いポリアセタール樹脂、ポリカーボネート樹脂、アクリル樹脂若しくはポリアミド樹脂又はこれらの樹脂のいずれかとガラス繊維等の無機繊維との複合材料を用いて１次成形し、操作面２２は、着色可能な（顔料の樹脂中への混練のほか、塗装を含む。）、ＡＢＳ樹脂、塩化ビニル樹脂等の合成樹脂を用いて２次成形するようにする。
これにより、係止具２０を、強度が大きく、係止具２０のカバー部材２４から露出する操作面２２をカバー部材２４や扉Ｄ等との調和の取れた色調とすることによって、デザイン的に優れた、合成樹脂製の一体成形品で、簡易な構造とすることができる。
なお、本発明の対象からは外れるが、機械的強度等と着色可能であるという両方の要件を備えた材料であれば、係止具２０の本体部２１及び操作面２２を１種類の材料で、一度に成形するようにしてもよい。
【００２８】
戸当たり本体２の係止具２０以外の機械的強度が必要とされるマグネット装着体２３及び取付部２５は、係止具２０と同様、ポリアセタール樹脂、ポリカーボネート樹脂、アクリル樹脂若しくはポリアミド樹脂又はこれらの樹脂のいずれかとガラス繊維等の無機繊維との複合材料で、カバー部材２４は、着色可能な（顔料の樹脂中への混練のほか、塗装を含む。）、ＡＢＳ樹脂、塩化ビニル樹脂等の合成樹脂を用いて成形するようにする。
【００２９】
そして、戸当たり本体２は、戸当たり本体２の取付部２５に形成した上方を開口した軸受部２５ａに、係止具２０の本体部２１に形成した軸２１ｂを嵌挿し、マグネット装着体２３に形成した２個の挿入片２３ｂを、軸受部２５ａの開口を閉じるようにして、取付部２５に形成した挿入孔２５ｂに挿入し、挿入片２３ｂ及び挿入孔２５ｂに形成した爪部２３ｃ、２５ｃ同士を係合させることによって抜け止め状に係止するようにしている。
これにより、構造が簡易で、嵌め込むだけで組立作業を簡単にでき、製造コストを低廉にすることができるようにしている。
【００３０】
この場合、マグネット装着体２３に形成した挿入片２３ｂが、取付部２５に形成した挿入孔２５ｂに、抜け止め状に遊嵌されるようにするとともに、挿入片２３ｂに形成した爪部２３ｃが取付部２５の挿入孔２５ｂに形成した爪部２５ｃと当接、係合する面を曲面（本実施例においては、半円形）に形成するようにしている。
これにより、マグネット装着体２３を、取付部２５に対して、一定の範囲で揺動可能となり、戸当たり受け具１のストッパ片１０を励磁吸着する際の動作性を向上することができる。
【００３１】
また、取付部２５には、係止具２０の本体部２１から延出した係止片２１ｃの先端に形成した爪部２１ｄが係合する突起部２５ｄを形成し、爪部２１ｄを突起部２５ｄに係合させることにより、ストッパ片１０に形成した係止部としての貫通孔１１ｂに係止されないように係止爪２１ａを引き上げた状態で係止具２０を保持することができるようにしている。
【００３２】
この戸当たり本体２は、図４に示すように、扉Ｄに、戸当たり本体２の取付部２５に形成した上下方向の長孔２５ｅに挿通したねじＮによって取り付けるに当たり、図５示す、扉Ｄの下縁に沿うように配設する断面Ｌ字形の位置決め金具７を用いるようにする。
この位置決め金具７は、扉Ｄの下縁に沿うように配設したとき、扉Ｄの表面に当接する鉛直片７１と、扉Ｄの下面に当接する水平片７２とを備え、鉛直片７１に形成されたねじ穴７１ａを通して、ねじＮをねじ込むようにすることにより、戸当たり本体２を扉Ｄの所定位置（本実施例においては、取付部２５に形成した長孔２５ｅの範囲内で、戸当たり本体２の上下方向の高さ位置を調整でき、図５（ａ）は扉Ｄの低位置に取り付けた状態を、図５（ｂ）は扉Ｄの低位置に取り付けた状態をそれぞれ示す。）に正確に取り付けることができるようにしている。
【００３３】
一方、戸当たり受け具１は、図６〜図９に示すように、扉Ｄに配設される戸当たり本体２のマグネット装着体２３のマグネット片装着部２３ａに装着したマグネット片Ｍの励磁吸着作用により床面Ｆより突出するストッパ片１０と、ストッパ片１０の基端側Ａを、枢軸１４を介して揺動可能に支持する台座１３とからなり、ストッパ片１０に、枢軸１４が挿通される軸孔１２ａを形成した、枢軸１４と直交する方向の対向する側縁を折り曲げて形成した補強側部１２を備えるようにしている。
そして、ストッパ片１０の本体部１１の裏面に、枢軸１４が嵌入する溝部１１ａを形成することによって、補強側部１２の高さを抑え、ストッパ片１０全体の厚みを薄くすることができるようにしている。
【００３４】
ストッパ片１０の本体部１１には、その先端側の中央に、扉Ｄに配設される戸当たり本体２の係止具２０の係止爪２１ａが係止される係止部となる貫通孔１１ｂを形成する。
【００３５】
ストッパ片１０は、戸当たり本体２に当接したストッパ片１０に、扉Ｄを介して強い力が加わった場合、図１２（ｃ）に示すように、ストッパ片１０が変形しないように、曲げ強度を向上させる観点から、補強側部１２を曲げ加工によって成形し、図６（ｃ）に示すように、正面視コ字状となるようにしている。
ストッパ片１０の曲げ加工による成形は、金属製の板材（例えば、厚さ１．２ｍｍの普通鋼（ＳＰＣＣ））をプレス加工機を用いて行うようにする。
【００３６】
この場合、補強側部１２の曲げ加工に先立って、貫通孔１１ｂ及び軸孔１２ａの打ち抜きを行うようにする。
より具体的には、金属製の板材から、全体形状の打ち抜き及び貫通孔１１ｂ及び軸孔１２ａの打ち抜きを行い、次いで、枢軸１４と直交する方向の対向する側縁の曲げ加工による補強側部１２及び本体部１１の裏面にプレス加工時の押圧による溝部１１ａの形成を行うようにする。
このとき、軸孔１２ａを曲げ加工を施す辺上に形成ことによって、軸孔１２ａは、図６（ｅ）に示すように、補強側部１２の部分において、上方が開放した形状となる。
なお、全体形状の打ち抜きの際に、軸孔１２ａを打ち抜くことなく、曲げ加工を施した後に、補強側部１２の所定位置に孔加工を施すようにすることもできる。
【００３７】
また、本体部１１に形成する貫通孔１１ｂは、全体形状の打ち抜きの際に、プレス加工機によって、同時に打ち抜くことなく、曲げ加工を施した後に、本体部１１の所定位置に孔加工を施すようにすることもできる。
【００３８】
また、ストッパ片１０の補強側部１２の先端側Ｂ２を、ストッパ片１０の本体部１１の先端側Ｂ１より後退させることが好ましい。
これは、補強側部１２の先端側Ｂ２が、戸当たり本体２に当接することとなると、点接触となり、当接箇所が破損しやすくなるためで、補強側部１２の先端側Ｂ２を後退させ、ストッパ片１０の本体部１１の先端側Ｂ１を、線又は面接触で戸当たり本体２に当接させることによって、戸当たり本体２及びストッパ片１０の破損を防止するようにしている。
補強側部１２の先端側Ｂ２の後退の度合いは、特に限定されるものではないが、本実施例においては、本体部１１の長さに対して補強側部１２の長さを９０％〜９７％程度となるようにしている。
【００３９】
補強側部１２に形成した軸孔１２ａは、本体部１１の裏面に形成される枢軸１４が嵌入する溝部１１ａと連なって、枢軸１４の収納空間を確保するようにしている。
これによって、図６（ｂ）及び（ｄ）に示すように、補強側部１２の高さを抑え、ストッパ片１０全体の厚みを薄くすることができる。
具体的には、軸孔１２ａの上下に、軸孔１２ａの径の４０％程度（例えば、軸孔１２ａの径１．６ｍｍに対して、０．６ｍｍ）の肉厚を残すような位置関係で軸孔１２ａを形成する。
【００４０】
台座１３は、ストッパ片１０を、枢軸１４を介して揺動自在に支持するものであれば、その形状は、特に限定されるものではないが、本実施例においては、図７に示すように、金属製の板状素材に対して、打ち抜きと曲げ加工とを施して、円盤状で、枢軸１４を支持する軸受部１３ａ、１３ａと、ストッパ片１０を収納する空間部１３ｂと、床面Ｆにねじ等の締結手段を介して固定するための取付孔１３ｃとを形成するようにしている。
この場合、ストッパ片１０を収納する空間部１３ｂは、ストッパ片１０の補強側部１２が嵌入するスリット状の溝１３ｂｍを備えた形状に形成するようにする。
【００４１】
また、台座１３の前後２箇所には、台座１３にストッパ片１０を取り付け、床面Ｆに固定した後に台座１３全体を覆う、着色可能な（顔料の樹脂中への混練のほか、塗装を含む。）、ＡＢＳ樹脂、塩化ビニル樹脂等の合成樹脂製のカバー１５の係合爪１５ｂが係合する凹部１３ｄ、１３ｄを形成するようにしている。
この凹部１３ｄ、１３ｄも、プレス加工機によって成形することができる。
より具体的には、台座１３は、金属製の板材（例えば、厚さ１ｍｍの普通鋼（ＳＰＣＣ））に、プレス加工機を用いて、打ち抜き加工と曲げ加工とを施すようにしている。
これによって、軸受部１３ａや凹部１３ｄが形成された後の厚みを３ｍｍ程度とすることができる。
【００４２】
枢軸１４は、ストッパ片１０を、台座１３に揺動自在に支持するためのものであれば、その形状は、特に限定されるものではないが、本実施例においては、図８に示すように、先端１４ａを尖った尖頭形状とし、他端１４ｂを軸部の径より大径となる抜け止め用の頭部としたピン状のものを用いるようにしている。
ストッパ片１０の台座１３への取り付けは、ストッパ片１０の溝部１１ａ及び軸孔１２ａと台座１３の軸受部１３ａとを合致させた状態で、枢軸１４を挿通し、台座１３の頭部抜け止め孔１３ｅに枢軸１４の他端１４ｂの頭部を位置させてストッパ片１０を台座１３に揺動自在に取り付ける。
【００４３】
そして、図９に示すように、ストッパ片１０を取り付けた台座１３を、床面Ｆの所定位置に、取付孔１３ｃに挿通したねじ等によって固定し、カバー１５を取り付ける。
カバー１５は、床面Ｆに固定したストッパ片１０を取り付けた台座１３の意匠的な見栄えを良好にするためのもので、ストッパ片１０が突出する開口部１５ａと台座１３の最も突出することとなる軸受部１３ａ及び頭部抜け止め孔１３ｅと合致する部分とを切り欠いた形状とし、その厚みが３ｍｍ以下となるようにしている。
【００４４】
次に、この戸当たりＳの作動について説明する。
図１０及び図１１に示すように、扉Ｄが所定の位置にきたときに、扉Ｄに配設される戸当たり本体２のマグネット装着体２３のマグネット片装着部２３ａに装着したマグネット片Ｍの励磁吸着作用により、ストッパ片１０を床面Ｆより突出させて、戸当たり本体２の取付部２５に形成した受部２５ｆに当接させ、それ以上の開扉を阻止するようにする。
この状態で、図１１（ａ）に示すように、係止爪２１ａを引き上げた状態では、単に扉Ｄの開扉が阻止されるだけであるが、図１１（ｂ）に示すように、係止具２０を操作し、係止爪２１ａを下ろすようにすると、ストッパ片１０に形成した係止部としての貫通孔１１ｂに係止具２０の係止爪２１ａが係止され、扉Ｄの開放状態を保持することができる。
【００４５】
そして、扉Ｄが開放され、ストッパ片１０が戸当たり本体２の取付部２５に形成した受部２５ｆに当接した状態で、扉Ｄを介してストッパ片１０に強い力が加わった場合でも、ストッパ片１０が側縁を折り曲げて形成した補強側部１２を備えることにより、曲げに対する強度が高く、ストッパ片１０が変形することをなくすことができる。
【００４６】
以上、本発明の戸当たりについて、その実施例に基づいて説明したが、本発明は上記実施例に記載した構成に限定されるものではなく、その趣旨を逸脱しない範囲において適宜その構成を変更することができるものである。
【産業上の利用可能性】
【００４７】
本発明の戸当たりは、強度が大きく、デザイン的に優れた、合成樹脂製の一体成形品からなる係止具を使用し、簡易な構造とすることができることから、戸当たりの用途に広く用いることができる。
【符号の説明】
【００４８】
Ｄ    扉
Ｆ    床面
Ｍ    マグネット片
Ｎ    ねじ
Ｓ    戸当たり
１    戸当たり受け具
１０  ストッパ片
１１  本体部
１１ａ  溝部
１２  補強側部
１２ａ  軸孔
１３  台座
１４  枢軸
２    戸当たり本体
２０  係止具
２１  本体部
２２  操作面
２３  マグネット装着体
２４  カバー部材
２５  取付部
【図１】
2012097408.tif 000003
【図２】
2012097408.tif 000004
【図３】
2012097408.tif 000005
【図４】
2012097408.tif 000006
【図５】
2012097408.tif 000007
【図６】
2012097408.tif 000008
【図７】
2012097408.tif 000009
【図８】
2012097408.tif 000010
【図９】
2012097408.tif 000011
【図１０】
2012097408.tif 000012
【図１１】
2012097408.tif 000013
【図１２】
2012097408.tif 000014